(57)【要約】【課題】複数種類の熱源機を有する空調システムにおいて、複数ある性能指標の中から制御で優先するものを変更する際の計算処理を高速化可能にする空調用の制御技術を開示する。【解決手段】各熱源機を特定の負荷配分で運転させた場合に各熱源機の性能指標が最適となる場合の各熱源機の性能指標の算出を、複数種類の性能指標それぞれについて特性データを基に負荷配分を漸次変更しながら負荷配分毎に行う第１の処理と、複数種類の性能指標の中から選択される何れか一つの性能指標において、空調システム全体の性能指標のうち当該選択された性能指標が最適となる各熱源機の負荷配分を、第１の処理によって算出した各熱源機の性能指標の合計値に基づいて抽出すると共に、当該抽出した負荷配分において当該選択された性能指標が最適となる各熱源機の運転条件を第１の処理の算出結果から特定する第２の処理と、を実行する。【選択図】図３
2020176748.tif 000002
【特許請求の範囲】
【請求項１】
複数種類の熱源機を有する空調システムの制御装置であって、
各熱源機の特性データが格納される記憶部と、
前記記憶部のデータに基づいて前記各熱源機の負荷配分を決定する処理部と、を備え、
前記処理部は、
前記各熱源機を特定の負荷配分で運転させた場合に前記各熱源機の性能指標が最適となる場合の前記各熱源機の性能指標の算出を、複数種類の性能指標それぞれについて前記特性データを基に前記負荷配分を漸次変更しながら負荷配分毎に行う第１の処理と、
前記複数種類の性能指標の中から選択される何れか一つの性能指標において、前記空調システム全体の性能指標のうち当該選択された性能指標が最適となる前記各熱源機の負荷配分を、前記第１の処理によって算出した前記各熱源機の性能指標の合計値に基づいて抽出すると共に、当該抽出した負荷配分において当該選択された性能指標が最適となる前記各熱源機の運転条件を前記第１の処理の算出結果から特定する第２の処理と、を実行する、
空調システムの制御装置。
【請求項２】
前記複数種類の性能指標とは、一次エネルギー消費量、消費エネルギーコスト、二酸化炭素排出量、性能係数のうち２以上を含む、
請求項１に記載の空調システムの制御装置。
【請求項３】
前記処理部は、前記第１の処理を、前記空調システムの消費電力が上限値を上回らない負荷配分の範囲内で行う、
請求項１または２に記載の空調システムの制御装置。
【請求項４】
前記処理部は、前記第１の処理を、前記空調システムに要求されるガス最低消費量を下回らない負荷配分の範囲内で行う、
請求項１から３の何れか一項に記載の空調システムの制御装置。
【請求項５】
前記処理部は、前記選択される性能指標が変更されると、前記空調システム全体の性能指標のうち当該変更によって選択された性能指標が最適となる前記各熱源機の負荷配分を、前記第１の処理によって算出した前記各熱源機の性能指標の合計値に基づいて抽出すると共に、当該抽出した負荷配分において当該選択された性能指標が最適となる前記各熱源機の運転条件を前記第１の処理の算出結果から抽出する第３の処理を更に実行する、
請求項１から４の何れか一項に記載の空調システムの制御装置。
【請求項６】
複数種類の熱源機を有する空調システムの制御装置が、
各熱源機を特定の負荷配分で運転させた場合に前記各熱源機の性能指標が最適となる場合の前記各熱源機の性能指標の算出を、複数種類の性能指標それぞれについて前記各熱源機の特性データを基に前記負荷配分を漸次変更しながら負荷配分毎に行う第１の処理と、
前記複数種類の性能指標の中から選択される何れか一つの性能指標において、前記空調システム全体の性能指標のうち当該選択された性能指標が最適となる前記各熱源機の負荷配分を、前記第１の処理によって算出した前記各熱源機の性能指標の合計値に基づいて抽出すると共に、当該抽出した負荷配分において当該選択された性能指標が最適となる前記各熱源機の運転条件を前記第１の処理の算出結果から特定する第２の処理と、を実行する、
空調システムの制御方法。
【請求項７】
複数種類の熱源機を有する空調システムのコンピュータに、
各熱源機を特定の負荷配分で運転させた場合に前記各熱源機の性能指標が最適となる場合の前記各熱源機の性能指標の算出を、複数種類の性能指標それぞれについて前記各熱源機の特性データを基に前記負荷配分を漸次変更しながら負荷配分毎に行う第１の処理と、
前記複数種類の性能指標の中から選択される何れか一つの性能指標において、前記空調システム全体の性能指標のうち当該選択された性能指標が最適となる前記各熱源機の負荷配分を、前記第１の処理によって算出した前記各熱源機の性能指標の合計値に基づいて抽出すると共に、当該抽出した負荷配分において当該選択された性能指標が最適となる前記各熱源機の運転条件を前記第１の処理の算出結果から特定する第２の処理と、を実行させる、
空調システムの制御プログラム。
【請求項８】
複数種類の熱源機と、
各熱源機の特性データが格納される記憶部と、前記記憶部のデータに基づいて前記各熱源機の負荷配分を決定する処理部とを有する制御装置と、を備え、
前記処理部は、
前記各熱源機を特定の負荷配分で運転させた場合に前記各熱源機の性能指標が最適となる場合の前記各熱源機の性能指標の算出を、複数種類の性能指標それぞれについて前記特性データを基に前記負荷配分を漸次変更しながら負荷配分毎に行う第１の処理と、
前記複数種類の性能指標の中から選択される何れか一つの性能指標において、前記空調システム全体の性能指標のうち当該選択された性能指標が最適となる前記各熱源機の負荷配分を、前記第１の処理によって算出した前記各熱源機の性能指標の合計値に基づいて抽出すると共に、当該抽出した負荷配分において当該選択された性能指標が最適となる前記各熱源機の運転条件を前記第１の処理の算出結果から特定する第２の処理と、を実行する、
空調システム。
【発明の詳細な説明】
【技術分野】
【０００１】
本発明は、空調システムの制御装置、制御方法、制御プログラム及び空調システムに関する。
【背景技術】
【０００２】
近年、空調システムの制御にコンピュータが利用されている（例えば、特許文献１−５を参照）。
【先行技術文献】
【特許文献】
【０００３】
【特許文献１】特開２０１８−０３１５３６号公報
【特許文献２】特開２０１８−０３１５３８号公報
【特許文献３】特開２０１８−０３１５３７号公報
【特許文献４】特開２０１８−０３１５３４号公報
【特許文献５】特開２０１８−０３１５３５号公報
【発明の概要】
【発明が解決しようとする課題】
【０００４】
空調システムの性能指標としては、例えば、一次エネルギー消費量、消費エネルギーコスト、二酸化炭素排出量、システムＣＯＰ（Coefficient Of Performance）などが挙げられる。そして、空調システムの管理者は、複数ある性能指標の中から制御で優先するものを選定し、選定した性能指標が最適な値となるように空調システムの運用を行う。
【０００５】
ところで、空調システムに用いられる熱源機には、ターボ冷凍機、吸収式冷温水機、空冷ヒートポンプ、蓄熱槽、その他各種のものが存在する。そして、各熱源機の特性はそれぞれ異なる。よって、複数種類の熱源機を有する空調システムにおいて、特定の性能指標が最適な値となるように空調システムの運用を行うには、各熱源機の特性や運転条件を考慮しながら各熱源機の負荷配分を決定する必要がある。したがって、特定の性能指標が最適な値となるように空調システムの運用を行うには、各熱源機の特性や運転条件を考慮した複雑な計算を必要とし、複数ある性能指標の中から制御で優先するものを変更することは容易でない。
【０００６】
そこで、本願は、複数種類の熱源機を有する空調システムにおいて、複数ある性能指標の中から制御で優先するものを変更する際の計算処理を高速化可能にする空調用の制御技術を開示する。
【課題を解決するための手段】
【０００７】
上記課題を解決するため、本発明では、各熱源機を特定の負荷配分で運転させた場合に各熱源機の性能指標が最適となる場合の各熱源機の性能指標の算出を、複数種類の性能指標それぞれについて特性データを基に負荷配分を漸次変更しながら負荷配分毎に行っておき、一つの性能指標において空調システム全体が最適となる場合の各熱源機の負荷配分を、算出した各熱源機の性能指標の合計値に基づいて抽出することにした。
【０００８】
詳細には、本発明は、複数種類の熱源機を有する空調システムの制御装置であって、各熱源機の特性データが格納される記憶部と、記憶部のデータに基づいて各熱源機の負荷配分を決定する処理部と、を備え、処理部は、各熱源機を特定の負荷配分で運転させた場合に各熱源機の性能指標が最適となる場合の各熱源機の性能指標の算出を、複数種類の性能
指標それぞれについて特性データを基に負荷配分を漸次変更しながら負荷配分毎に行う第１の処理と、複数種類の性能指標の中から選択される何れか一つの性能指標において、空調システム全体の性能指標のうち当該選択された性能指標が最適となる各熱源機の負荷配分を、第１の処理によって算出した各熱源機の性能指標の合計値に基づいて抽出すると共に、当該抽出した負荷配分において当該選択された性能指標が最適となる各熱源機の運転条件を第１の処理の算出結果から特定する第２の処理と、を実行する。
【０００９】
ここで、性能指標とは、性能を定量的に表すものであり、例えば、一次エネルギー消費量、消費エネルギーコスト、二酸化炭素排出量、性能係数（ＣＯＰ）などが挙げられる。
【００１０】
上記の制御装置では、第１の処理と第２の処理が実行されることにより、性能指標が最適となる各熱源機の負荷配分の抽出及び各熱源機の運転条件の特定がなされる。そして、性能指標が最適となる各熱源機の負荷配分は、第１の処理によって全種類の性能指標について既に得られた演算結果の中から抽出するだけなので、例えば、空調システムの制御で優先する性能指標が変更されても、第１の処理を再び実行することなく、新たに選択された性能指標が最適となる各熱源機の負荷配分の抽出及び各熱源機の運転条件の特定を行うことができる。したがって、上記の制御装置であれば、複数ある性能指標の中から制御で優先する性能指標を変更しても、各熱源機の特性や運転条件を考慮した複雑な計算を再度行うことなく、当該変更によって選定された性能指標が最適な値となる各熱源機の負荷配分の抽出及び各熱源機の運転条件の特定を行うことができる。
【００１１】
なお、処理部は、第１の処理を、空調システムの消費電力が上限値を上回らない負荷配分の範囲内で行うものであってもよいし、空調システムに要求されるガス最低消費量を下回らない負荷配分の範囲内で行うものであってもよい。このような処理部を備える制御装置であれば、第１の処理の負荷を更に低減することが可能となる。
【００１２】
また、処理部は、選択される性能指標が変更されると、空調システム全体の性能指標のうち当該変更によって選択された性能指標が最適となる各熱源機の負荷配分を、第１の処理によって算出した各熱源機の性能指標の合計値に基づいて抽出すると共に、当該抽出した負荷配分において当該選択された性能指標が最適となる各熱源機の運転条件を第１の処理の算出結果から抽出する第３の処理を更に実行するものであってもよい。このような処理部を備える制御装置であれば、変更によって選定された性能指標が最適な値となる各熱源機の負荷配分及び各熱源機の運転条件を抽出することができる。
【００１３】
なお、本発明は、方法、プログラム及びシステムの側面から捉えることもできる。例えば、本発明は、複数種類の熱源機を有する空調システムの制御装置が、各熱源機を特定の負荷配分で運転させた場合に各熱源機の性能指標が最適となる場合の各熱源機の運転条件と性能指標の算出を、複数種類の性能指標それぞれについて各熱源機の特性データを基に負荷配分を漸次変更しながら負荷配分毎に行う第１の処理と、複数種類の性能指標の中から選択される何れか一つの性能指標において、空調システム全体の性能指標のうち当該選択された性能指標が最適となる各熱源機の負荷配分を、第１の処理によって算出した各熱源機の性能指標の合計値に基づいて抽出すると共に、当該抽出した負荷配分において当該選択された性能指標が最適となる各熱源機の運転条件を第１の処理の算出結果から抽出する第２の処理と、を実行する、空調システムの制御方法であってもよい。
【発明の効果】
【００１４】
上記の空調システムの制御装置、制御方法、制御プログラム及び空調システムであれば、複数ある性能指標の中から制御で優先するものを変更する際の計算処理を高速化可能である。
【図面の簡単な説明】
【００１５】
【図１】図１は、空調システムの一例を示した図である。
【図２】図２は、制御装置が実行する処理の概要を示したフローチャートである。
【図３】図３は、上記一連の処理内容をイメージで表した図である。
【図４】図４は、制御装置が実行する処理の具体例を示した第１のフローチャートである。
【図５】図５は、制御装置２が実行する処理の具体例を示した第２のフローチャートである。
【図６】図６は、ステップＳ１０４の処理内容を示したフローチャートである。
【図７】図７は、ステップＳ１０６の処理内容を示したフローチャートである。
【図８】図８は、熱源機器の消費エネルギーコストを比較した表である。
【図９】図９は、熱源機器の二酸化炭素排出量を比較した表である。
【図１０】図１０は、熱源機器の一次エネルギー消費量を比較した表である。
【発明を実施するための形態】
【００１６】
以下、本発明の実施形態について説明する。以下に示す実施形態は、本発明の実施形態の一例であり、本発明の技術的範囲を以下の態様に限定するものではない。
【００１７】
図１は、空調システムの一例を示した図である。空調システム１は、図１に示すように、制御装置２と複数種類の熱源機を備える。空調システム１が備える熱源機としては、例えば、図１に示されるように、ターボ冷凍機３Ａ、吸収式冷温水機３Ｂ、空冷（水冷でも良い）ヒートポンプ３Ｃ、蓄熱槽３Ｄが挙げられるが、空調システム１は、これら全てを備えるものに限定されない。また、空調システム１は、ターボ冷凍機３Ａと吸収式冷温水機３Ｂと空冷ヒートポンプ３Ｃと蓄熱槽３Ｄ以外の熱源機を備えるものであってもよい。空調システム１の各熱源機の熱は、空調装置まで液体または空気によって輸送され、空調装置から空調対象の室内４へ空気または液体によって輸送される。
【００１８】
制御装置２は、各熱源機やその他の空調機器の運転制御を司る装置である。制御装置２は、室内４が設けられている建物内と、当該建物が設置されている箇所から遠隔の地の何れにあってもよい。制御装置２には、各熱源機やその他の空調機器のコントローラの情報、空調システム１に設けられている各種センサの情報、室内４の操作パネルを通じて入力される設定温度、ネットワーク経由で送られる情報、その他各種の情報が入力される。制御装置２は、これらの情報に基づいて、各熱源機の負荷配分や運転条件を決定する。
【００１９】
以下、制御装置２が実行する処理の概要について説明する。図２は、制御装置２が実行する処理の概要を示したフローチャートである。制御装置２は、各熱源機の特性データが格納される記憶装置、記憶装置のデータに基づいて各熱源機の負荷配分を決定するＣＰＵ（Central Processing Unit）、入出力インターフェース等を備えるコンピュータであり
、メモリに展開されたコンピュータプログラムをＣＰＵが実行することにより、下記の処理を実現する。
【００２０】
すなわち、制御装置２は、空調システム１全体に要求される熱的な負荷を処理するに際し、各熱源機を特定の負荷配分で運転させた場合に各熱源機の性能指標が最適となる場合の各熱源機の運転条件と性能指標の算出を、複数種類の性能指標それぞれについて特性データを基に負荷配分を漸次変更しながら負荷配分毎に行う第１の処理（Ｓ１〜Ｓ５）と、複数種類の性能指標の中から選択される何れか一つの性能指標において、空調システム１全体の性能指標のうち当該選択された性能指標が最適となる各熱源機の負荷配分を、第１の処理によって算出した各熱源機の性能指標の合計値に基づいて抽出すると共に、当該抽出した負荷配分において当該選択された性能指標が最適となる各熱源機の運転条件を第１の処理の算出結果から抽出する第２の処理（Ｓ６）とを実行する。
【００２１】
ここで、性能指標とは、性能を定量的に表すものであり、例えば、一次エネルギー消費量、消費エネルギーコスト、二酸化炭素排出量、システムＣＯＰなどが挙げられる。
【００２２】
ステップＳ１の処理では、制御装置２は、各熱源機の負荷配分の割合を百分率で表した場合に、全熱源機の負荷配分の合計が１００％となるように各熱源機の負荷配分を０％から１００％までの範囲内で漸次仮定する。制御装置２は、例えば、ターボ冷凍機３Ａの負荷配分を４０％、吸収式冷温水機３Ｂの負荷配分を２０％、空冷ヒートポンプ３Ｃの負荷配分を２０％と仮定した場合、蓄熱槽３Ｄの負荷配分を２０％と仮定する。制御装置２は、ステップＳ１の処理を実行する度に、各熱源機の負荷配分を所定の変化率（例えば、１％）で変化させる。
【００２３】
ステップＳ２の処理では、制御装置２は、熱源毎の最適運転条件を算出する。最適運転条件とは、ステップＳ１における負荷配分から定まる熱量を製造する際に当該熱源の性能指標が最適となる場合の運転条件であり、制御装置２の記憶装置に予め格納されている各熱源機の特性データを用いて算出される。例えば、ターボ冷凍機３Ａの最適運転条件であれば、当該ターボ冷凍機３Ａの消費電力量を、冷却水温度等の運転条件の値を漸次変更しながら繰り返し演算によって算出することにより、ポンプなどの補機を含めた当該ターボ冷凍機３Ａの消費電力量が最小となる場合の運転条件の値が特定される。
【００２４】
ステップＳ３の処理では、制御装置２は、熱源毎に全ての性能指標の値を算出する。制御装置２では、空調システム１の運用上優先できる性能指標の選択肢として、一次エネルギー消費量、消費エネルギーコスト、二酸化炭素排出量、システムＣＯＰの４つが用意されている。そして、空調システム１の管理者は、これらの性能指標の中から任意のものを選択できる。そこで、ステップＳ３の処理では、制御装置２は、一次エネルギー消費量、消費エネルギーコスト、二酸化炭素排出量、システムＣＯＰの４つの性能指標全てについて、熱源毎に性能指標の値を算出する。
【００２５】
ステップＳ４の処理では、制御装置２は、ステップＳ３で算出した性能指標の値を合算し、４つの性能指標それぞれについて、全熱源機の性能指標の合計値を算出する。
【００２６】
ステップＳ５の処理では、制御装置２は、ステップＳ１からステップＳ４までの一連の算出処理が、あらゆる負荷配分の組み合わせ全てについて完了したか否かの判定を行う。例えば、ステップＳ１において、４種類の熱源機の負荷配分を１％ずつ変化させる場合であれば、ステップＳ１からステップＳ４までの一連の算出処理が１００万通りの組み合わせパターン全てについて行われた場合に、ステップＳ５の処理で肯定判定が行われる。
【００２７】
ステップＳ６の処理では、制御装置２は、ステップＳ４の処理で算出された各負荷配分の組み合わせにおける性能指標の合計値同士を比較し、空調システム１全体の性能指標のうち空調システム１の管理者によって選択された何れかの性能指標が最適となる各熱源機の負荷配分を抽出する。また、制御装置２は、抽出した負荷配分の場合における最適運転条件を、ステップＳ２の算出結果より抽出する。そして、制御装置２は、空調システム１の各熱源機やその他の機器が、ステップＳ６の処理で抽出した負荷配分及び最適運転条件に従って作動するように、空調システム１の各熱源機やその他の機器のコントローラに制御信号を送る。
【００２８】
制御装置２が実行する処理の概要については以上の通りである。図３は、上記一連の処理内容をイメージで表した図である。制御装置２では、空調システム１全体に要求される熱的な負荷（熱源要求負荷）を処理するに際し、上記一連の処理フローによって実現される最適運転条件の決定手法（ルールエンジン）を用いているため、性能指標が最適となる
各熱源機の負荷配分及び各熱源機の運転条件を決定できる。また、ステップＳ６で抽出される性能指標が最適となる各熱源機の負荷配分及び各熱源機の運転条件は、ステップＳ１からステップＳ５までの一連の処理によって全種類の性能指標について既に得られた演算結果の中から抽出するだけなので、例えば、空調システム１の制御で優先する性能指標を空調システム１の管理者が変更する場合には、ステップＳ１からステップＳ５までの一連の処理を再度実行することなく、ステップＳ６の処理を実行するだけで、新たに選択された性能指標が最適となる各熱源機の負荷配分及び各熱源機の運転条件を抽出することができる。
【００２９】
以下、制御装置２が実行する処理の具体例について詳述する。図４は、制御装置２が実行する処理の具体例を示した第１のフローチャートである。また、図５は、制御装置２が実行する処理の具体例を示した第２のフローチャートである。制御装置２が実行する処理の具体例について、図４及び図５のフローチャートに沿って説明する。
【００３０】
制御装置２は、空調システム１全体で処理が要求される熱的な負荷の総量（空調システム１全体の要求負荷熱量）の入力と評価項目の選択が行われると、上述したステップＳ１に相当するステップＳ１０１からステップＳ１０６までの一連の処理を実行する。
【００３１】
すなわち、制御装置２は、各熱源機の負荷配分の割合を百分率で表した場合に、全熱源機の負荷配分の合計が１００％となるように各熱源機の負荷配分を０％から１００％までの範囲内で漸次仮定する（Ｓ１０１）。この負荷配分は、各熱源機の負荷配分の比率を百分率で表したものなので、以降、負荷配分率という。制御装置２は、熱源の優先順位が空調システム１の管理者によって設定されている場合には、その順序に応じて負荷配分率の仮定範囲を補正する。また、制御装置２は、空調システム１に対する制約条件が空調システム１の管理者によって設定されている場合には、その条件を満たすように負荷配分率の仮定範囲を補正する。
【００３２】
例えば、空調システム１の管理者と電力会社との間の契約の都合で、空調システム１全体の消費電力に上限が定められており、空調システム１の管理者が消費電力の上限値（電力デマンド値）を設定している場合、制御装置２は、当該上限値の有無を判定する処理（Ｓ１０３）において肯定判定を行う。そして、制御装置２は、各熱源機の消費電力に関する特性データを参照し、空調システム１全体の消費電力が当該上限値を上回らないように負荷配分率の仮定範囲を補正する（Ｓ１０４）。
【００３３】
図６は、ステップＳ１０４の処理内容を示したフローチャートである。図６のグラフでは、横軸の熱量（負荷配分量）を当該熱源機の製造能力の百分率で表している。制御装置２は、ステップＳ１０４の処理において、各熱源機の特性データを基に、各熱源機について要求負荷熱量と消費電力との関係を特定し（Ｓ１０４Ａ）、空調システム１全体の消費電力が電力デマンド値を超えないように熱源機の種類毎に負荷配分率の仮定範囲の上限値を修正する（Ｓ１０４Ｂ）。熱源機システムのシステム消費電力は、製造熱量を当該システムのシステムＣＯＰで除算した値であるから、例えば、熱源機システムのシステムＣＯＰと製造熱量との関係が熱源機の特性データとして既に用意されている場合であれば、当該特性データを表す式を変形して、左項（縦軸）を消費電力、右項（横軸）を製造熱量からシステムＣＯＰを除した値とすることにより、熱源機の要求負荷熱量と消費電力との関係を表した特性データ（グラフ）を得ることができる。よって、制御装置２は、この特性データを使うことにより、電力デマンド値を超えない要求負荷熱量を特定することができる。
【００３４】
再び図４のフローチャートを参照しつつ、ステップＳ１０４より後の処理について説明する。例えば、空調システム１の管理者とガス会社との間の契約の都合で空調システム１
で、空調システム１全体で処理すべきガスの消費量に下限が定められており、空調システム１の管理者がガス最低消費量を設定している場合、制御装置２は、当該ガス最低消費量の有無を判定する処理（Ｓ１０５）において肯定判定を行う。そして、制御装置２は、各熱源機のガス消費量に関する特性データを参照し、空調システム１全体のガス消費量が当該ガス最低消費量を下回らないように負荷配分率の仮定範囲を補正する（Ｓ１０６）。
【００３５】
図７は、ステップＳ１０６の処理内容を示したフローチャートである。図７のグラフでは、横軸の熱量（負荷配分量）を当該熱源機の製造能力の百分率で表している。制御装置２は、ステップＳ１０６の処理において、各熱源機について要求負荷熱量とガス消費量との関係を示した特性データを参照し（Ｓ１０６Ａ）、ガス最低消費量を下回らないように熱源機の種類毎に負荷配分率の仮定範囲の下限値を修正する（Ｓ１０６Ｂ）。
【００３６】
再び図４のフローチャートを参照しつつ、ステップＳ１０５より後の処理について説明する。制御装置２は、ステップＳ１０１からステップＳ１０６までの一連の処理によって負荷配分率の仮定範囲を確定させた後、上述したステップＳ２からステップＳ５までの一連の処理に相当するステップＳ１０７からステップＳ１１８までの一連の処理を実行する。
【００３７】
すなわち、制御装置２は、まず、各熱源機が製造すべき製造熱量（負荷配分量）を上記の負荷配分率から算出する（Ｓ１０７）。制御装置２は、例えば、空調システム１全体の要求負荷熱量が１００ｋＷであり、ターボ冷凍機３Ａの負荷配分率が３０％、吸収式冷温水機３Ｂの負荷配分率が３０％、空冷ヒートポンプ３Ｃの負荷配分率が２０％、蓄熱槽３Ｄの負荷配分率が２０％の場合であれば、ターボ冷凍機３Ａの製造熱量を３０ｋＷ、吸収式冷温水機３Ｂの製造熱量を３０ｋＷ、空冷ヒートポンプ３Ｃの製造熱量を２０ｋＷ、蓄熱槽３Ｄの製造熱量を２０ｋＷとして算出する。
【００３８】
次に、制御装置２は、気温や相対湿度等の外気条件と製造熱量を基に、各熱源機の最適運転条件を特定する（Ｓ１０８）。各熱源機の最適運転条件は、次のようにして特定される。例えば、ターボ冷凍機３Ａには、冷水を循環させるポンプや冷却水を循環させるポンプ等が併設されている。よって、特定の要求負荷熱量を処理するに際し、これらの補機類を含む熱源機システム全体の消費電力の合計値が最小となる運転条件の一例が最適運転条件と言える。このような最適運転条件を特定するため、制御装置２は、各機器の運転状態と機器固有のＣＯＰとの相関を示した特性データを読み出し、当該熱源機システムのＣＯＰが最大となる場合の各機器の制御目標値を特定する。この特定においては、制御装置２は、計算のために予め用意された仮想室内設計条件及び仮想空調機設計に基づいて、冷水温度等の各種パラメータの推論を行い、この推論に基づいて制御目標値の特定を行う。熱源機や補機が並列に複数台用意されている場合、これらの運転台数は、例えば、運転台数を冷水温度毎、冷却水温度毎に予め定義した運用設計シートに基づいて決定される。なお、各熱源機の最適運転条件は、各熱源での最適化演算のために選択される性能指標と、複数で算出するために選択される性能指標と互いに同じ場合とそれぞれ別の場合とがあってもよい。例えば、各熱源での最適化演算では一次エネルギー消費量を選択し、複数で算出するために選択される性能指標ではエネルギーコストを選択する場合もある。最適化演算のために選択される性能指標は、何れか一つが選択されれば各熱源での最適化演算と複数で算出するために選択される性能指標が両方とも当該選択された性能指標に設定されてもよいし、個別に設定可能であってもよい。また、最適化演算のために選択される性能指標は、一次エネルギー消費量と消費エネルギーコストと二酸化炭素排出量とＣＯＰの４つのうち何れであってもよいし、その他の指標であってもよい。  
【００３９】
次に、制御装置２は、ステップＳ１０８で特定した運転条件を基に、各熱源機の単体ＣＯＰを各熱源機の特性データから導出する（Ｓ１０９）。そして、制御装置２は、各熱源
機が単体で消費するエネルギー（熱源入力エネルギー）を、製造熱量を単体ＣＯＰで除算することによって算出する（Ｓ１１０）。すなわち、制御装置２は、以下の数式（１）を用いて各熱源機が単体で消費するエネルギーを算出する。
熱源入力エネルギー（ｋＷ）＝製造熱量（ｋＷ）／単体ＣＯＰ  ・・・（１）
【００４０】
次に、制御装置２は、各熱源機の性能指標を算出する。すなわち、制御装置２は、各熱源機が消費するエネルギーの種類（電気またはガス）を判別する（Ｓ１１１）。そして、制御装置２は、電気を消費する熱源機であれば当該熱源機及び補機の消費電力量を算出する処理（Ｓ１１２）を実行した後、算出した消費電力量を基に、補機を含めた当該熱源機システムの性能指標を算出する処理（Ｓ１１３）を実行する。また、制御装置２は、ガスを消費する熱源機であれば当該熱源機のガス消費量を算出する処理（Ｓ１１４）を実行した後、算出したガス消費量を基に、当該熱源機システムの性能指標を算出する処理（Ｓ１１５）を実行する。
【００４１】
制御装置２は、ステップＳ１１２における消費電力量の算出を、例えば、以下の数式（２）を用いて行う。
消費電力量（ｋＷｈ）＝Σ（熱源入力エネルギー（ｋＷ）＋補機動力（ｋＷ））×所定時間（ｈ）  ・・・（２）
【００４２】
また、制御装置２は、ステップＳ１１３における性能指標のうち、一次エネルギー消費量の算出を、例えば、以下の数式（３）を用いて行う。
一次エネルギー消費量（ＭＪ）＝消費電力量（ｋＷｈ）×一次エネルギー消費量換算係数（ＭＪ／ｋＷｈ）  ・・・（３）
（一次エネルギー消費量換算係数は地域や電力の購入先に応じて異なる）
【００４３】
また、制御装置２は、ステップＳ１１３における性能指標のうち、エネルギーコストの算出を、例えば、以下の数式（４）を用いて行う。
エネルギーコスト（円）＝消費電力量（ｋＷｈ）×電力単価（円／ｋＷ）  ・・・（４）
（電力単価は契約や時間帯に応じて異なる）
【００４４】
また、制御装置２は、ステップＳ１１３における性能指標のうち、二酸化炭素排出量の算出を、例えば、以下の数式（５）を用いて行う。
ＣＯ２排出量（ｔ−ＣＯ２）＝消費電力量（ｋＷｈ）×ＣＯ２排出量係数（ｔ−ＣＯ２／ｋＷｈ）  ・・・（５）
（ＣＯ２排出量係数は地域や電力の購入先に応じて異なる）
【００４５】
また、制御装置２は、ステップＳ１１３における性能指標のうち、熱源機システムのシステムＣＯＰの算出を、例えば、以下の数式（６）を用いて行う。
システムＣＯＰ＝（製造熱量（ｋＷ）×所定時間（ｈ））／消費電力量（ｋＷｈ）  ・・・（６）
【００４６】
また、制御装置２は、ステップＳ１１４におけるガス消費量の算出を、例えば、以下の数式（７）を用いて行う。
ガス消費量（Ｎｍ３）＝熱源入力エネルギー（ｋＷ）×所定時間（ｈ）×３．６（ＭＪ／ｋＷｈ）／発熱量（ＭＪ／Ｎｍ３）  ・・・（７）
【００４７】
また、制御装置２は、ステップＳ１１５における性能指標のうち、一次エネルギー消費量の算出を、例えば、以下の数式（８）を用いて行う。
一次エネルギー消費量（ＭＪ）＝ガス消費量（Ｎｍ３）×発熱量（ＭＪ／Ｎｍ３）  ・・・（８）
（一次エネルギー消費量換算係数は地域や電力の購入先に応じて異なる）
【００４８】
また、制御装置２は、ステップＳ１１５における性能指標のうち、エネルギーコストの算出を、例えば、以下の数式（９）を用いて行う。
エネルギーコスト（円）＝ガス消費量（Ｎｍ３）×ガス電気（円／Ｎｍ３）  ・・・（９）
（ガス単価は契約に応じて異なる）
【００４９】
また、制御装置２は、ステップＳ１１５における性能指標のうち、二酸化炭素排出量の算出を、例えば、以下の数式（１０）を用いて行う。
ＣＯ２排出量（ｔ−ＣＯ２）＝一次エネルギー消費量（ＭＪ）×ＣＯ２排出量係数（ｔ−ＣＯ２／ＭＪ）  ・・・（１０）
【００５０】
また、制御装置２は、ステップＳ１１５における性能指標のうち、熱源機システムのシステムＣＯＰの算出を、例えば、以下の数式（１１）を用いて行う。
システムＣＯＰ＝（製造熱量（ｋＷ）×所定時間（ｈ））／（入力エネルギー（ｋＷｈ）＋補機動力（ｋＷｈ））  ・・・（１１）
【００５１】
制御装置２は、ステップＳ１０７からステップＳ１１５までの一連の処理を、全種類の熱源機について演算が終了するまで繰り返し実行する（Ｓ１１６）。すなわち、空調システム１にはターボ冷凍機３Ａと吸収式冷温水機３Ｂと空冷ヒートポンプ３Ｃと蓄熱槽３Ｄという４種類の熱源機が備わっているため、制御装置２は、ステップＳ１０７からステップＳ１１５までの一連の処理を４回繰り返し実行する。
【００５２】
制御装置２は、ステップＳ１０７からステップＳ１１５までの一連の処理を、全種類の熱源機について演算が終了するまで行うと、次に、全種類の熱源機の各性能指標を合算し、空調システム１全体の性能指標を負荷配分率の組み合わせ毎に算出する（Ｓ１１７）。
すなわち、制御装置２は、空調システム１全体の一次エネルギー消費量、消費エネルギーコスト、二酸化炭素排出量及びシステムＣＯＰを、負荷配分率の組み合わせ毎に算出する。制御装置２は、空調システム１全体の各性能指標の算出を、仮定範囲内にある全ての負荷配分率の組み合わせパターンについて完了するまで行う（Ｓ１１８）。
【００５３】
制御装置２は、空調システム１全体の各性能指標の算出を、仮定範囲内にある全ての負荷配分率の組み合わせパターンについて完了した後、上述したステップＳ６に相当するステップＳ１１９からステップＳ１２１までの一連の処理を実行する。
【００５４】
すなわち、制御装置２は、ステップＳ１０１からステップＳ１１８までの処理を繰り返すことによって得た仮定範囲内の全ての負荷配分率の組み合わせパターンにおける空調システム１全体の各性能指標の算出結果を基に、空調システム１の管理者が選定した性能指標が最適な値となる場合の負荷配分（負荷配分量）の組み合わせを抽出する（Ｓ１１９）。空調システム１の管理者が選定した性能指標が、例えば、一次エネルギー消費量であれば、制御装置２は、一次エネルギー消費量が最も小さい値となる場合の負荷配分量を抽出する。また、空調システム１の管理者が選定した性能指標が、例えば、消費エネルギーコストであれば、制御装置２は、消費エネルギーコストが最も小さい値となる場合の負荷配分量の組み合わせを抽出する。また、空調システム１の管理者が選定した性能指標が、例えば、二酸化炭素排出量であれば、制御装置２は、二酸化炭素排出量が最も小さい値となる場合の負荷配分量の組み合わせを抽出する。また、空調システム１の管理者が選定した性能指標が、例えば、システムＣＯＰであれば、制御装置２は、システムＣＯＰが最も高い値となる場合の負荷配分量の組み合わせを抽出する。
【００５５】
また、制御装置２は、空調システム１の制御で優先する性能指標を空調システム１の管理者が変更する場合（Ｓ１２０）、既に算出済みの空調システム１全体の各性能指標の算出結果の中から、空調システム１の管理者が新たに選定した性能指標が最適な値となる場合の負荷配分量の組み合わせを抽出する。
【００５６】
図８は、熱源機器の消費エネルギーコストを比較した表である。また、図９は、熱源機器の二酸化炭素排出量を比較した表である。また、図１０は、熱源機器の一次エネルギー消費量を比較した表である。図８から図１０の各表に示す値は一例であり、本実施形態の空調システム１に備わる機器がこのような能力を有するものに限定されるものではない。例えば、冷凍能力が同等なターボ冷凍機３Ａと吸収式冷温水機３Ｂとを比較した場合、ＣＯＰが図に示すような値であった場合、ＣＯＰについてはターボ冷凍機３Ａの方が高くても、エネルギーコストは吸収式冷温水機３Ｂの方が低いことが判る。また、二酸化炭素排出量と一次エネルギー消費量はターボ冷凍機３Ａの方が低いことが判る。このように、各熱源機器には様々な特徴があるため、空調システム１のように複数種類の熱源機器を備えるシステムの場合、空調システム１の性能指標が最適となる負荷配分量は、空調システム１の管理者が選択する性能指標の種類に応じて変化する。
【００５７】
この点、空調システム１では、制御装置２がステップＳ１０１からステップＳ１２１までの上記一連の処理を実行することにより、性能指標が最適となる各熱源機の負荷配分量及び各熱源機の運転条件が決定される。そして、性能指標が最適となる各熱源機の負荷配分量及び各熱源機の運転条件は、ステップＳ１０１からステップＳ１１８までの一連の処理によって全種類の性能指標について既に得られた演算結果の中から抽出するだけなので、例えば、空調システム１の制御で優先する性能指標を空調システム１の管理者が変更しても、ステップＳ１２１の処理を実行するだけで、新たに選択された性能指標が最適となる各熱源機の負荷配分量及び各熱源機の運転条件を抽出することができる。したがって、複数ある性能指標の中から制御で優先するものを変更しても、各熱源機の特性や運転条件を考慮した複雑な計算を再度行うことなく、当該変更によって選定された性能指標が最適
な値となる各熱源機の負荷配分量及び各熱源機の運転条件を抽出することができる。
【００５８】
なお、上記実施形態の空調システム１は、制御装置２がステップＳ１０１からステップＳ１２１までの上記一連の処理をすべて実行するものに限定されない。上記実施形態の空調システム１は、例えば、制御装置２がステップＳ１０２からステップＳ１０６までの処理を省略するものであってもよいし、その他の変更が加えられていてもよい。また、上記実施形態の空調システム１では、制御装置２が上記一連の処理において各熱源機の製造熱量の比率である相対値を使って計算を行っているが、制御装置２は、各熱源機の製造熱量または定格能力に対する製造熱量の割合である絶対値を使って計算を行ってもよい。また、上記実施形態の空調システム１は、制御装置２が一次エネルギー消費量、消費エネルギーコスト、二酸化炭素排出量、システムＣＯＰの４つの性能指標全てについて、熱源毎に性能指標の値を算出していたが、制御装置２は、これら４つのうち何れか一つの性能指標の値を熱源毎に算出するものであってもよい。
【符号の説明】
【００５９】
１・・空調システム
２・・制御装置
３Ａ・・ターボ冷凍機
３Ｂ・・吸収式冷温水機
３Ｃ・・空冷ヒートポンプ
３Ｄ・・蓄熱槽
４・・室内
【図１】
2020176748.tif 000003
【図２】
2020176748.tif 000004
【図３】
2020176748.tif 000005
【図４】
2020176748.tif 000006
【図５】
2020176748.tif 000007
【図６】
2020176748.tif 000008
【図７】
2020176748.tif 000009
【図８】
2020176748.tif 000010
【図９】
2020176748.tif 000011
【図１０】
2020176748.tif 000012